【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
少なくとも１つの手持ち式電動計量装置（２）を備える、液体のラボ用電子計量システムであって、
前記手持ち式電動計量装置（２）は、当該手持ち式計量装置（２）の動作を検出して対応する動作データを生成する少なくとも１つの動作センサ部（５）を含み、
前記手持ち式計量装置（２）は、当該手持ち式計量装置（２）をデータ接続によって外部のネットワークアクセス装置（４）に接続することが可能であるインターフェースモジュール（７）を含み、
前記ネットワークアクセス装置（４）は、外部のデータ処理システム（３）にデータ接続可能であり、
前記データ処理システム（３）は、前記手持ち式計量装置（２）の動作を少なくとも間接的に検出し且つ／或いは前記手持ち式計量装置（２）の動作環境状態を検出してこれらからコンテキストパラメータデータを生成する、少なくとも１つのコンテキストパラメータセンサ部（８）にデータ接続可能であり、
当該計量システム（１）が、前記動作センサ部（５）の動作データを目標動作データと比較するように且つ／或いは前記コンテキストパラメータセンサ部（８）のコンテキストパラメータデータを目標コンテキストパラメータデータと比較するように、および、比較結果を生成するように少なくとも構成された、比較部（９）を備える、計量システムにおいて、当該計量システム（１）が、さらに、
前記少なくとも１つの手持ち式計量装置（２）の動作に関するログデータセットを生成及び記憶するように構成された、ドキュメンテーション部（１０）、
を備え、前記ドキュメンテーション部（１０）は、前記比較部（９）の前記比較結果が当該ドキュメンテーション部（１０）へと送信可能であるように、かつ、当該比較結果を前記ログデータセットの一部として記憶する構成であるように、前記比較部（９）に接続されていることを特徴とする、計量システム。
【請求項２】
請求項１に記載の計量システムにおいて、さらに、
ユーザ指示及び／又はユーザ情報を出力する少なくとも１つの出力部（１７）に含まれる少なくとも１つの出力部（１７）、
を備え、前記出力部（１７）は、比較結果が直接出力されるように前記比較部（９）に接続されていることを特徴とする、計量システム。
【請求項３】
請求項１または２に記載の計量システムにおいて、少なくとも１つのコンテキストパラメータセンサ部（８）が、静的及び／又は動的なコンテキストパラメータを検出するように構成されていることを特徴とする、計量システム。
【請求項４】
請求項１から３のいずれか一項に記載の計量システムにおいて、少なくとも１つのコンテキストパラメータセンサ部（８）が、前記手持ち式計量装置（２）の検出された動作および／または検出された前記動作環境状態を分類するように構成された分類部（１６）に接続されており、当該分類からコンテキストパラメータが導き出されることが可能であり且つ／或いは当該分類によりコンテキストパラメータデータが生成されることが可能であることを特徴とする、計量システム。
【請求項５】
請求項１から４のいずれか一項に記載の計量システムにおいて、さらに、
ログデータセットを記憶及び／又はカタログ化するように構成されたドキュメンテーション記憶装置（１８）、
を備えることを特徴とする、計量システム。
【請求項６】
請求項１から５のいずれか一項に記載の計量システムにおいて、さらに、
ログデータセットを電子実験ノートのデータ形式に変換するように又は当該ログデータセットを実験情報管理システムに埋め込むように構成された、変換装置（１９）、
を備えることを特徴とする、計量システム。
【請求項７】
請求項５または６に記載の計量システムにおいて、さらに、
前記ドキュメンテーション記憶装置（１８）に接続されており、ログデータセットを評価するように且つ／或いはログデータセットを比較するように構成されていて当該評価からの結果を出力インターフェース（２１）で出力することが可能である、少なくとも１つの評価部（２０）、
を備えることを特徴とする、計量システム。
【請求項８】
請求項１から７のいずれか一項に記載の計量システムにおいて、さらに、
作業ルーチンを設定し且つ／或いは前記手持ち式計量装置（２）のパラメータ部（２３）の装置パラメータを設定するプログラミング部（２２）、
を備え、前記プログラミング部（２２）が、設定した作業ルーチン及び／又は装置パラメータに基づいて目標動作データ及び／又は目標コンテキストパラメータデータを生成及び記憶するように構成されていることを特徴とする、計量システム。
【請求項９】
請求項１から８のいずれか一項に記載の計量システムにおいて、前記ネットワークアクセス装置（４）が、少なくとも１つの手持ち式計量装置（２）を着脱可能に留める留め装置（１３）により構成されていることを特徴とする、計量システム。
【請求項１０】
請求項１から９のいずれか一項に記載の計量システムにおいて、前記コンテキストパラメータセンサ部（８）が、ラボ用液体測定装置（２４）の測定値又は出力信号を複製又は検出するように構成されていることを特徴とする、計量システム。
【請求項１１】
少なくとも１つの手持ち式電動計量装置（２）を備える、液体のラボ用電子計量システムを動作させる方法であって、
前記手持ち式電動計量装置（２）は、当該手持ち式計量装置（２）の動作を検出して対応する動作データを生成する少なくとも１つの動作センサ部（５）を含み、
前記手持ち式計量装置（２）は、当該手持ち式計量装置（２）をデータ接続によって外部のネットワークアクセス装置（４）に接続するためのインターフェースモジュール（７）を含み、
前記ネットワークアクセス装置（４）は、外部のデータ処理システム（３）にデータ接続可能であり、
前記データ処理システム（３）は、前記手持ち式計量装置（２）の動作を少なくとも間接的に検出し且つ／或いは前記手持ち式計量装置（２）の動作環境状態を検出してこれらからコンテキストパラメータデータを生成する、少なくとも１つのコンテキストパラメータセンサ部（８）にデータ接続可能であり、
前記計量システム（１）が、前記動作センサ部（５）の動作データを目標動作データと比較するように且つ／或いは前記コンテキストパラメータセンサ部（８）のコンテキストパラメータデータを目標コンテキストパラメータデータと比較するように、および、比較結果を生成するように少なくとも構成された、比較部（９）を備える、方法において、前記計量システム（１）が、さらに、
前記少なくとも１つの手持ち式計量装置（２）の動作に関するログデータセットを少なくとも含むログデータセットを生成及び記憶する、ドキュメンテーション部（１０）、
を備え、前記ドキュメンテーション部（１０）は、前記比較部（９）の前記比較結果が当該ドキュメンテーション部（１０）へと送信されるように、かつ、当該比較結果を前記ログデータセットの一部として記憶するように、前記比較部（９）に接続されていることを特徴とする、方法。
【請求項１２】
請求項１１に記載の方法において、少なくとも１つの出力部（１７）により、ユーザ指示及び／又はユーザ情報が出力され、前記出力部（１７）は、比較結果が直接出力されるように前記比較部（９）に接続されていることを特徴とする、方法。
【請求項１３】
請求項１１または１２に記載の方法において、少なくとも１つのコンテキストパラメータセンサ部（８）により、静的及び／又は動的なコンテキストパラメータが検出されることを特徴とする、方法。
【請求項１４】
請求項１１から１３のいずれか一項に記載の方法において、前記コンテキストパラメータセンサ部（８）に接続された少なくとも１つの分類部（１６）により、前記手持ち式計量装置（２）の検出された動作および／または検出された前記動作環境状態が分類され、当該分類からコンテキストパラメータが導き出されて且つ／或いは当該分類によりコンテキストパラメータデータが生成されることを特徴とする、方法。
【請求項１５】
請求項１１から１４のいずれか一項に記載の方法において、ドキュメンテーション記憶装置（１８）により、ログデータセットが記憶及び／又はカタログ化されることを特徴とする、方法。
【請求項１６】
請求項１１から１５のいずれか一項に記載の方法において、変換装置（１９）により、ログデータセットが電子実験ノートのデータ形式に変換されるか又は実験情報管理システムに埋め込まれることを特徴とする、方法。
【請求項１７】
請求項１５または１６に記載の方法において、前記ドキュメンテーション記憶装置（１８）に接続された評価部（２０）により、ログデータセットが評価されて且つ／或いはログデータセットが比較されて、当該評価からの結果が出力インターフェース（２１）で出力されることを特徴とする、方法。
【請求項１８】
請求項１１から１７のいずれか一項に記載の方法において、プログラミング部（２２）により、作業ルーチンが設定されて且つ／或いは前記手持ち式計量装置（２）のパラメータ部（２３）の装置パラメータが設定されて、前記プログラミング部（２２）が、設定した作業ルーチン又は装置パラメータに基づいて目標動作データ及び／又は目標コンテキストパラメータデータを生成及び／又は記憶することを特徴とする、方法。
【請求項１９】
請求項１１から１８のいずれか一項に記載の方法において、前記コンテキストパラメータセンサ部（８）により、ラボ用液体測定装置（２４）の測定値又は出力信号が複製又は検出されることを特徴とする、方法。
【手続補正２】
【補正対象書類名】明細書
【補正対象項目名】００６５
【補正方法】変更
【補正の内容】
【００６５】
方法ステップＳ３．２では、さらに、前記データと前記目標データとの比較が実施される。具体的に述べると、前記データと前記目標データとの間のずれを反映した比較結果が得られる。後続の方法ステップＳ４では、方法ステップＳ３．２で得られた当該比較結果が、方法ステップＳ３．１で生成された前記ログデータセットに振り当てられる。
なお、本発明は、実施の態様として以下の内容を含む。
〔態様１〕
少なくとも１つの手持ち式電動計量装置（２）を備える、液体のラボ用電子計量システムであって、
前記手持ち式電動計量装置（２）は、当該手持ち式計量装置（２）の動作を検出して対応する動作データを生成する、特には、さらに当該動作データを当該手持ち式計量装置（２）の記憶装置（６）に記憶する、少なくとも１つの動作センサ部（５）を含み、
前記手持ち式計量装置（２）は、当該手持ち式計量装置（２）をデータ接続によって特には前記動作データを送信するために外部のネットワークアクセス装置（４）に接続することが可能であるインターフェースモジュール（７）を含み、
前記ネットワークアクセス装置（４）は、外部のデータ処理システム（３）にデータ接続可能であり、
前記データ処理システム（３）は、前記手持ち式計量装置（２）の動作を少なくとも間接的に検出し且つ／或いは前記手持ち式計量装置（２）の動作環境状態を検出してこれらからコンテキストパラメータデータを生成する、少なくとも１つのコンテキストパラメータセンサ部（８）にデータ接続可能であり、
当該計量システム（１）、特には前記データ処理システム（３）が、前記動作センサ部（５）の動作データを目標動作データと比較するように且つ／或いは前記コンテキストパラメータセンサ部（８）のコンテキストパラメータデータを目標コンテキストパラメータデータと比較するように、および、比較結果、特には比較過程で特定される、前記目標データからの前記データのずれを生成するように少なくとも構成された、比較部（９）を備える、計量システムにおいて、当該計量システム（１）が、さらに、
前記少なくとも１つの手持ち式計量装置（２）の動作に関するログデータセット、特には、前記動作データ及び／又は前記コンテキストパラメータデータを少なくとも含むログデータセットを生成及び記憶するように構成された、ドキュメンテーション部（１０）、
を備え、前記ドキュメンテーション部（１０）は、前記比較部（９）の前記比較結果が当該ドキュメンテーション部（１０）へと送信可能であるように、かつ、当該比較結果を前記ログデータセットの一部として、特には対応する前記動作データ及び／又はコンテキストパラメータデータに振り当てるかたちで記憶する、特には、前記手持ち式計量装置（２）の動作が終わった後に前記比較結果をそれらに追加する構成であるように、前記比較部（９）に接続されていることを特徴とする、計量システム。
〔態様２〕
態様１に記載の計量システムにおいて、さらに、
ユーザ指示及び／又はユーザ情報を出力する少なくとも１つの出力部（１７）、特には、前記手持ち式計量装置（２）に含まれる少なくとも１つの出力部（１７）、
を備え、前記出力部（１７）は、比較結果、特には比較過程で特定される、前記目標データからの前記データのずれが直接出力されるように前記比較部（９）に接続されていることを特徴とする、計量システム。
〔態様３〕
態様１または２に記載の計量システムにおいて、少なくとも１つのコンテキストパラメータセンサ部（８）が、静的及び／又は動的なコンテキストパラメータを検出するように構成されていることを特徴とする、計量システム。
〔態様４〕
態様１から３のいずれか一態様に記載の計量システムにおいて、少なくとも１つのコンテキストパラメータセンサ部（８）が、前記手持ち式計量装置（２）の検出された動作および／または検出された前記動作環境状態を分類するように構成された分類部（１６）に接続されており、当該分類からコンテキストパラメータが導き出されることが可能であり且つ／或いは当該分類によりコンテキストパラメータデータが生成されることが可能であることを特徴とする、計量システム。
〔態様５〕
態様１から４のいずれか一態様に記載の計量システムにおいて、さらに、
ログデータセットを記憶及び／又はカタログ化するように構成されたドキュメンテーション記憶装置（１８）、
を備えることを特徴とする、計量システム。
〔態様６〕
態様１から５のいずれか一態様に記載の計量システムにおいて、さらに、
ログデータセットを電子実験ノートのデータ形式に変換するように又は当該ログデータセットを実験情報管理システムに埋め込むように構成された、変換装置（１９）、
を備えることを特徴とする、計量システム。
〔態様７〕
態様５または６に記載の計量システムにおいて、さらに、
前記ドキュメンテーション記憶装置（１８）に接続されており、ログデータセットを評価するように且つ／或いはログデータセットを比較するように構成されていて当該評価からの結果を特には当該計量システムによるさらなる処理のために出力インターフェース（２１）で出力することが可能である、少なくとも１つの評価部（２０）、
を備えることを特徴とする、計量システム。
〔態様８〕
態様１から７のいずれか一態様に記載の計量システムにおいて、さらに、
作業ルーチンを設定し且つ／或いは前記手持ち式計量装置（２）のパラメータ部（２３）の装置パラメータを設定するプログラミング部（２２）、特には、前記データ処理システム（３）に含まれるプログラミング部（２２）、
を備え、前記プログラミング部（２２）が、設定した作業ルーチン及び／又は装置パラメータに基づいて目標動作データ及び／又は目標コンテキストパラメータデータを生成及び記憶するように構成されていることを特徴とする、計量システム。
〔態様９〕
態様１から８のいずれか一態様に記載の計量システムにおいて、前記ネットワークアクセス装置（４）が、少なくとも１つの手持ち式計量装置（２）を着脱可能に留める留め装置（１３）により構成されていることを特徴とする、計量システム。
〔態様１０〕
態様１から９のいずれか一態様に記載の計量システムにおいて、前記コンテキストパラメータセンサ部（８）が、ラボ用液体測定装置（２４）の測定値又は出力信号を複製又は検出するように構成されていることを特徴とする、計量システム。
〔態様１１〕
少なくとも１つの手持ち式電動計量装置（２）を備える、液体のラボ用電子計量システムを動作させる方法であって、
前記手持ち式電動計量装置（２）は、当該手持ち式計量装置（２）の動作を検出して対応する動作データを生成する、特には、さらに当該動作データを当該手持ち式計量装置（２）の記憶装置（６）に記憶する、少なくとも１つの動作センサ部（５）を含み、
前記手持ち式計量装置（２）は、当該手持ち式計量装置（２）をデータ接続によって特には前記動作データを送信するために外部のネットワークアクセス装置（４）に接続するためのインターフェースモジュール（７）を含み、
前記ネットワークアクセス装置（４）は、外部のデータ処理システム（３）にデータ接続可能であり、
前記データ処理システム（３）は、前記手持ち式計量装置（２）の動作を少なくとも間接的に検出し且つ／或いは前記手持ち式計量装置（２）の動作環境状態を検出してこれらからコンテキストパラメータデータを生成する、少なくとも１つのコンテキストパラメータセンサ部（８）にデータ接続可能であり、
前記計量システム（１）、特には前記データ処理システム（３）が、前記動作センサ部（５）の動作データを目標動作データと比較するように且つ／或いは前記コンテキストパラメータセンサ部（８）のコンテキストパラメータデータを目標コンテキストパラメータデータと比較するように、および、比較結果、特には比較過程で特定される、前記目標データからの前記データのずれを生成するように少なくとも構成された、比較部（９）を備える、方法において、前記計量システム（１）が、さらに、
前記少なくとも１つの手持ち式計量装置（２）の動作に関するログデータセット、特には、前記動作データ及び／又は前記コンテキストパラメータデータを少なくとも含むログデータセットを生成及び記憶する、ドキュメンテーション部（１０）、
を備え、前記ドキュメンテーション部（１０）は、前記比較部（９）の前記比較結果が当該ドキュメンテーション部（１０）へと送信されるように、かつ、当該比較結果を前記ログデータセットの一部として、特には対応する前記動作データ及び／又はコンテキストパラメータデータに振り当てるかたちで記憶する、特には、前記手持ち式計量装置（２）の動作が終わった後に前記比較結果をそれらに追加するように、前記比較部（９）に接続されていることを特徴とする、方法。
〔態様１２〕
態様１１に記載の方法において、少なくとも１つの出力部（１７）、特には、前記手持ち式計量装置（２）に含まれる少なくとも１つの出力部（１７）により、ユーザ指示及び／又はユーザ情報が出力され、前記出力部（１７）は、比較結果、特には比較過程で特定される、前記目標データからの前記データのずれが直接出力されるように前記比較部（９）に接続されていることを特徴とする、方法。
〔態様１３〕
態様１１または１２に記載の方法において、少なくとも１つのコンテキストパラメータセンサ部（８）により、静的及び／又は動的なコンテキストパラメータが検出されることを特徴とする、方法。
〔態様１４〕
態様１１から１３のいずれか一態様に記載の方法において、前記コンテキストパラメータセンサ部（８）に接続された少なくとも１つの分類部（１６）により、前記手持ち式計量装置（２）の検出された動作および／または検出された前記動作環境状態が分類され、当該分類からコンテキストパラメータが導き出されて且つ／或いは当該分類によりコンテキストパラメータデータが生成されることを特徴とする、方法。
〔態様１５〕
態様１１から１４のいずれか一態様に記載の方法において、ドキュメンテーション記憶装置（１８）により、ログデータセットが記憶及び／又はカタログ化されることを特徴とする、方法。
〔態様１６〕
態様１１から１５のいずれか一態様に記載の方法において、変換装置（１９）により、ログデータセットが電子実験ノートのデータ形式に変換されるか又は実験情報管理システムに埋め込まれることを特徴とする、方法。
〔態様１７〕
態様１５または１６に記載の方法において、前記ドキュメンテーション記憶装置（１８）に接続された評価部（２０）により、ログデータセットが評価されて且つ／或いはログデータセットが比較されて、当該評価からの結果が、特には前記計量システム（１）によるさらなる処理のために出力インターフェース（２１）で出力されることを特徴とする、方法。
〔態様１８〕
態様１１から１７のいずれか一態様に記載の方法において、プログラミング部（２２）、特には、前記データ処理システム（３）に含まれるプログラミング部（２２）により、作業ルーチンが設定されて且つ／或いは前記手持ち式計量装置（２）のパラメータ部（２３）の装置パラメータが設定されて、前記プログラミング部（２２）が、設定した作業ルーチン又は装置パラメータに基づいて目標動作データ及び／又は目標コンテキストパラメータデータを生成及び／又は記憶することを特徴とする、方法。
〔態様１９〕
態様１１から１８のいずれか一態様に記載の方法において、前記コンテキストパラメータセンサ部（８）により、ラボ用液体測定装置（２４）の測定値又は出力信号が複製又は検出されることを特徴とする、方法。